(57)【要約】      （修正有）【課題】高コストの材質かつ環境破壊の高汚染物質であるベリリウム銅を使用しなくても伝送効率の高い、防振且つ防湿効果の高い継手構造を提供する。【解決手段】間にガイド／接続作用の針が組み立てられ、区切りの第１の継手の受入周縁に一つ以上の切削溝が開設され、Ｏリングの嵌入された第２の継手をその間に嵌合するよう許容し、第２の継手の間に組み立てられた針は併せて第２の継手に互いに対応する針の一端に切り込むことが出来る。第２の継手の後ろ寄りの受入部が第１の継手の受入周縁の内部の外拡張段落に対応でき、その他に第２の継手の後ろ寄りの受入部の一側に対してリング槽を一つ凹設し、第１の継手の受入周縁の末端の内傾きリング・エッジとの緊密な当着を保持する。【選択図】図２
0003152731.tif 000002
【実用新案登録請求の範囲】
【請求項１】
継手固定構造は、第1・第2の継手を含んで高周波継手を構成するが、その改良は、その間にガイド／接続作用の針が組み立てられ、該区切りの第1の継手の受入周縁に一つ以上の切削溝が開設され、第2の継手の外周縁の一区切りの段落に一つ以上の凹槽を設けるよう許容し、対応する数量の可撓性Ｏリングを嵌入することにより受入管部をその間に嵌合でき、該第1の継手の末端に一段以上の勾配を具する内傾きリング・エッジを設けることにより、第2の継手の互いに対応する段落に応じ、二つ以上の区切りを具するよう設け、該二段の勾配のリング・エッジがしっかりと当着し、同時に第2の継手の針に対して第1の継手の互いに対応する針の一端を切り込むことが出来ることにより、緊密な当着を保持し、これにより、第1・第2の継手により構成された高周波継手は、通信振動環境の周波数の高い製品の間の継手の挿着に運用され、より好ましい伝送パワーを取得でき、更に防振・湿気防止の設置を増加するものであることを特徴とする、継手固定構造。
【請求項２】
該第1・第2の継手により構成された高周波継手の外側に対し、ナットをより嵌設でき、単独な通信機材として使用し、或いは外部環境に接合され、外力により大型ケーブル線，アンテナ等を抑制し、より好ましい組立の位置決めを保持できることを特徴とする、請求項1に記載の継手固定構造。
【請求項３】
該高周波継手を構成する第1・第2の継手部材の一端に対し、それぞれアダプター（例えば同軸ケーブル，プリント基板アンテナ，光ファイバー・ケーブル等）により結合でき、接続に必要な組立部材の受入部材と見なすことを特徴とする、請求項1に記載の継手固定構造。
【請求項４】
該高周波継手を構成する第1・第2の継手の内側が絶縁体と隣接する部位には、当止摺動リング面を一つ設けることにより、絶縁体の移動を防止することを特徴とする、請求項1に記載の継手固定構造。
【請求項５】
該第1の継手の受入周縁の末端に対し、一区切りの弾性を恒久に維持する内縮めの凸リング・エッジが形成され、第2の継手の後ろ寄りの受入部の一側に凹設された該区切りの二段の勾配のリング槽に対応して圧迫的な方位制限が出来、更に一つのナットを介してその間の雌ねじ部が第1の継手のスレッド部に沿って第2の継手の方向へ向けてより回し込み、且つ該ナットの他端の開口に形成された一区切りの内傾き段落が圧迫的に第1の継手の凸リング・エッジに当着でき、該凸リング・エッジが第2の継手と互いに対応する部位には、併せてその二段の勾配のリング槽がより好ましい圧迫的な方位制限を呈することを特徴とする、請求項1に記載の継手固定構造。
【考案の詳細な説明】
【技術分野】
【０００１】
本考案は、継手固定構造を提供するもので、主として通信振動環境の周波数の高い製品（例えば携帯電話，飛行機または自動車上の通信機材……）の間の継手の挿着使用上に応用され、環境による外力作用を改善でき、更に湿気防止の設置を具することにより、より好ましい伝送パワーを取得する。
【背景技術】
【０００２】
故に目前の業界が開発して各種な通信製品に応用される継手形式は、相当に多く、その中でも業者は両継手部材（例えば図1）が組み立てられた時に、弾性により挟持できるために、何れもその間にガイド／接続作用を具する針20の該区切りの受入端子10の外側周縁には、切削溝101が開設され、他端の継手30の穴301の間に対応して嵌入し、受入端子10の該区切りの切削溝101を具する周縁102が継手30の穴301の内部のリング凹槽302に弾性的に圧迫して接触でき、併せて受入端子10の間の針20も継手30の互いに対応する一端の針40の内部に係合され、必要な両継手部材が通信接続を具する設置を、達成する。
【０００３】
但しこのような継手形式の間の受入端子10が継手30に完全に組み立てられた後に、その作用端の周縁102に開設された切削溝101が継手30の該端の穴301との間に、隙間が形成され、外部の空気が該隙間に沿って継手組立体の内に入り込むことを招き、しばらくの時間が経った後に、内部の部材が酸化・錆びし始める現象を具し、該継手組立体の伝送効率にも対し、問題が起こり、同時に受入端子10の切削溝101により形成された不連続な断面が両継手部材の間の針20、40の接触する方位に位置するため、高周波出力効率の損失が比較的に多くなることを招き、更に該受入端子の切削溝により生成された弾性作用力は、ただ一つの部位が、振動により引き起こされた外部の緩衝防振効果に対し、有限となる。
【０００４】
従って関連する業者は、このような問題を解決し且つ該継手組立体の伝送効率を向上するために、ベリリウム銅を選択して製造するが、但しこのようなベリリウム銅が高コストの材質かつ環境破壊の高汚染物質に属し、その防振機能も本考案より低くなる。
【考案の概要】
【０００５】
本考案は、即ち既存の各種な通信製品に応用される継手組立体の使用の問題に基づいて改良し、ベリリウム銅を使用しなくて該継手部材を製造しても伝送効率の高い、防振且つ湿気防止の継手の設計を達成できるよう期待するものである。
【０００６】
本考案の主要な目的は、その間にガイド／接続作用の針が組み立てられ、該区切りの第1の継手の受入周縁に一つ以上の切削溝が開設され、第2の継手の外周縁の一区切りの段落にＯリングの受入管部を嵌入してその間に嵌合できるよう許容し、第2の継手の間に組み立てられた針は併せて第2の継手に互いに対応する針の一端に切り込むことが出来、更に該第2の継手の後ろ寄りの一区切りのやや大きな外径の受入部が第1の継手の受入周縁の内部の外拡張段落に対応でき、その他に第2の継手に緊密に隣接する該後ろ寄りの受入部の一側に対し、二段の勾配のリング槽を凹設することにより、第1の継手の受入周縁の末端の勾配を具する内傾きリング・エッジとの緊密な当着を保持し、これにより、第1・第2の継手により構成された高周波継手に対し、その中の第1の継手の切削溝が組み立てられた後に、現れた不連続な断面が両継手の内の針の接合する箇所に位置しなく、通信の品質を確保し、通信振動の周波数の高い製品に運用され、該継手の挿着上に対してより好ましい伝送パワーの設置を取得できるものである。
【０００７】
本考案の第2の目的は、第1・第2の継手により構成された継手の外側に対し、一つのナットをより嵌設でき、外力により抑制された大型ケーブル線，アンテナ等に接合し、より好ましい組立の位置決めを保持できるものである。
本考案の第3の目的は、継手を構成する第1・第2の継手の一端に対し、それぞれアダプターにより結合でき、接続に必要な組立部材の受入部材と見なすものである。
【０００８】
本考案の第4の目的は、第1の継手の受入周縁の末端に対し、一区切りの弾性を恒久に維持する内縮めの凸リング・エッジが形成され、第2の継手の後ろ寄りの受入部の一側に凹設された該区切りの二段の勾配のリング槽に対応して圧迫的な方位制限が出来、更に一つのナットを介してその間の雌ねじ部が第1の継手のスレッド部に沿って第2の継手の方向へ向けてより回し込み、且つ該ナットの他端の開口に形成された一区切りの内傾き段落が圧迫的に第1の継手の凸リング・エッジに当着でき、該凸リング・エッジが第2の継手と互いに対応する部位には、併せてその二段の勾配のリング槽がより好ましい圧迫的な方位制限を呈するものである。
【図面の簡単な説明】
【０００９】
【図１】慣用の高周波継手を組み立てる時における側断面図である。
【図２】本考案の高周波継手部材の分解斜視図である。
【図３】本考案の高周波継手部材をまだ組み立てない時における側断面図である。
【図４】本考案の高周波継手部材を組み立てる時における側断面図である。
【図５】本考案の高周波継手の組立体の側断面図である。
【図６】本考案の高周波継手の組立体の外観斜視図である。
【図７】本考案の第2の継手をナットにより嵌設する側断面図である。
【図８】本考案の高周波継手の組立体をナットにより結合する側断面図である。
【図９】本考案の高周波継手の組立体をそれぞれアダプターにより結合する模式図である。
【図１０】本考案のアダプターの結合された継手部材を高周波継手となるように組み立てる斜視図である。
【図１１】本考案の第1の継手とナットの他の実施部材が第2の継手をまだ組み立てない時における側断面図である。
【図１２】本考案の第1の継手とナットの他の実施部材が第2の継手を組み立てて完成する時における側断面図である。
【考案を実施するための形態】
【００１０】
図2、3を参照して示すように、本考案の設計した継手固定構造は、主として第1の継手1と第2の継手2を含んで継手3を一つ構成する。その中でも、第1の継手1は、その間の内部に予め設けられた段落には当止摺動リング面（ここに正方向、逆方向を呈する雌ねじにより実施する）131が形成され、一つの絶縁体11に対応してガイド／接続作用を具する針12を嵌入して組み立て、更に該第1の継手1の作用端の受入周縁13に一つ以上の切削溝14が開設され、第1の継手1の受入周縁13の内部に対し、開口端へ向けて一区切りの口径の比較的に大きな外拡張段落15を形成し、更に外拡張段落15と受入周縁13の内部との間に一区切りの傾斜折り曲げ周縁16が介在し、その他に第1の継手1の受入周縁13の末端に一区切りの勾配を具する内傾きリング・エッジ17が形成され、第1の継手1の後ろ寄りの一側の外周縁に沿ってスレッド部18を形成する。
【００１１】
第2の継手2は、その間の内部に予め設けられた段落には当止摺動リング面（ここに正方向、逆方向を呈する雌ねじにより実施する）251が形成され、一つの絶縁体21に対応してガイド／接続作用を具する針22を嵌入して組み立て、更に該第2の継手2の作用端の外寄りの周縁の一区切りの間にＯリング24（ここにＯリングが絶縁体、例えばゴム又はシリコーン材質などの可撓性リングであってもよい）の受入管部23が嵌入され、受入管部23に緊密に隣接する後ろ寄りに一区切りのやや大きな外径の受入部25を延伸し、該後ろ寄りの受入部25の一側に対し、一区切りの二段の勾配のリング槽26を凹設する。
【００１２】
第1・第2の継手1、2に対して組立を実施し（図4を参照し）、第2の継手2の外周縁にＯリング24を嵌入した受入管部23が、第1の継手1の作用端に切削溝14を開設した受入周縁13の間に嵌入され、該第2の継手2の受入管部23のＯリング24が外拡張段落15の一端の傾斜折り曲げ周縁16に寄り添う時に（例えば図4のＩ詳細図）、第2の継手2が内向きに変位する時に、Ｏリング24は傾斜折り曲げ周縁16に沿って内縮めて入り込むことが出来（例えば図5のＩＩ詳細図）、第2の継手2の受入管部23及び後ろ寄りの外径の比較的に大きな受入部25が勢いに乗って第1の継手1の間の受入周縁13及び緊密に隣接する外拡張段落15の内部に嵌入できるように寄与し（例えば図5）、そして第1の継手1の受入周縁13の内部に制限された該区切りの受入管部23の間のＯリング24が外力に対して防振を具し、且つ外部の空気と水蒸気の入り込みを防止できることにより、第1・第2の継手の間の針が錆び・腐食を生成することを避け、該第2の継手2の後ろ寄りの一区切りの受入部25が第1の継手1の外拡張段落15に嵌入され、同時に第1の継手1の受入周縁13の末端の該区切りの勾配を具する内傾きリング・エッジ17も、第2の継手2に凹設された二段の勾配のリング槽26の間に圧迫的に当着でき（例えば図5のＩＩＩ詳細図）、この時に該第2の継手2に寄り添う二段の勾配のリング槽26の周縁により外向きに生成された反作用力が、第1の継手1の勾配を具する内傾きリング・エッジ17により内向きに生成された垂直・水平分力を相殺できることにより、第2の継手2が第1の継手1との穏やかな位置決めを保持できることを達成するが（ここに第2の継手の間の二段の勾配のリング槽および第1の継手に互いに対応して接触する勾配の内傾きリング・エッジに対して段落を設置するのは、組立の需要に基づいて一つ以上を実施できる）、これにより、第1・第2の継手1、2により構成された高周波継手3（例えば図6）が通信環境振動の周波数の高い製品の間の継手の挿着上に運用すれば、より好ましい伝送パワーの設置を取得できる。
【００１３】
その他に第2の継手2が第1の継手1と組み立てられる前にも、その外側に一つのナット4をより嵌設でき（例えば図7）、該ナット4の一端の雌ねじ部41が第1の継手1に互いに対応する端のスレッド部18と一体に螺合でき（例えば図8）、外部の環境に存在して外力により抑制された大型ケーブル線，アンテナ等に接合し、第1・第2の継手1、2により構成された継手3及びその外側に結合されたナット4を介し、予め接合された品物がより好ましい組立の位置決めを保持できる。
【００１４】
同時に該第1の継手1の間に組み立てられた針12の後ろ寄りに対して一区切りの凸部121を延伸でき、プリント基板の外観と仕様に対応してその接続形式を決定でき、将来に業者が需要に基づいてプリント基板のメカニズムを別に組み立て或いは他の部材の固定を実施できるように供するが、第2の継手2の間に組み立てられた針22には外向きに凹設された穴221（または切削溝）が、同軸ケーブルと接続でき、該穴または切削溝がケーブルの仕様に基づいて一つのメカニズムに固定され、或いは他の部材と結合できる。
【００１５】
該第1・第2の継手1、2の一端にそれぞれアダプター5（例えば図9）により結合でき、第1の継手1と第2の継手2が高周波継手3を構成した後に（例えば図10）、業者が需要に基づき、予め設けられた部材をより接続できる。
【００１６】
本考案の設計した継手固定構造の他の実施例（図11を参照）は、第1の継手1の受入周縁13の末端に、一区切りの弾性を恒久に維持する内縮めの凸リング・エッジ19が形成され、第2の継手2の後ろ寄りの受入部25の一側に凹設された該区切りの二段の勾配のリング槽26に対応して圧迫的な方位制限（例えば図12）が出来、更に一つのナット4'を介してその間の雌ねじ部41が第1の継手1のスレッド部18に沿って第2の継手2の方向へ向けてより回し込み、且つ該ナット4'の他端の開口に形成された一区切りの内傾き段落42が圧迫的に第1の継手1の凸リング・エッジ19に当着でき、該凸リング・エッジ19が第2の継手2と互いに対応する部位には、併せて二段の勾配のリング槽26がより好ましい圧迫的な方位制限（例えば図12のＩＶ詳細図）を呈する。
【００１７】
本考案の設計に対し、第1・第2の継手を介して構成された高周波継手が振動の周波数の高い品物、例えば進行中の車両，テレビのラッパ，手持ちの携帯式伝送通信装置，室外基地局に運用されるが、台風または強風大雨に当たった時に、該高周波継手により、伝統的に使用された継手が不安定な信号を生成し易い欠点を克服でき、このような高周波継手も目前の業者の大量に開発・生産する高画質テレビ及び高パワー・ラッパの継手に適用でき、このような製品の通信伝送効率を確実に向上する。
【符号の説明】
【００１８】
1  第1の継手
2  第2の継手
3  継手
4  ナット
4'  ナット
5  アダプター
10  受入端子
11  絶縁体
12  針
13  受入周縁
14  切削溝
15  外拡張段落
16  傾斜折り曲げ周縁
17  内傾きリング・エッジ
18  スレッド部
19  フランジ・リング
20  針
21  絶縁体
22  針
23  受入管部
24  Ｏリング
25  受入部
26  リング槽
30  継手
40  針
41  雌ねじ部 
42  内傾き段落
101  切削溝
102  周縁
121  凸部
131  当止摺動リング面
221  穴
251  当止摺動リング面
301  穴
302  リング凹槽
【図１】
0003152731.tif 000003
【図２】
0003152731.tif 000004
【図３】
0003152731.tif 000005
【図４】
0003152731.tif 000006
【図５】
0003152731.tif 000007
【図６】
0003152731.tif 000008
【図７】
0003152731.tif 000009
【図８】
0003152731.tif 000010
【図９】
0003152731.tif 000011
【図１０】
0003152731.tif 000012
【図１１】
0003152731.tif 000013
【図１２】
0003152731.tif 000014
【手続補正書】
【提出日】平成21年6月8日(2009.6.8)
【手続補正１】
【補正対象書類名】実用新案登録請求の範囲
【補正対象項目名】請求項１
【補正方法】変更
【補正の内容】
【請求項１】
継手固定構造は、第1・第2の継手を含んで高周波継手を構成するが、その改良は、その間にガイド／接続作用の針が組み立てられ、区切りの第1の継手の受入周縁に一つ以上の切削溝が開設され、第2の継手の外周縁の一区切りの段落に一つ以上の凹槽を設けるよう許容し、対応する数量の可撓性Ｏリングを嵌入することにより受入管部をその間に嵌合でき、該第1の継手の末端に一段以上の勾配を具する内傾きリング・エッジを設けることにより、第2の継手の互いに対応する段落に応じ、二つ以上の区切りを具するよう設け、二段の勾配のリング・エッジがしっかりと当着し、同時に第2の継手の針に対して第1の継手の互いに対応する針の一端を切り込むことが出来ることにより、緊密な当着を保持し、これにより、第1・第2の継手により構成された高周波継手は、通信振動環境の周波数の高い製品の間の継手の挿着に運用され、より好ましい伝送パワーを取得でき、更に防振・湿気防止の設置を増加するものであることを特徴とする、継手固定構造。
【手続補正２】
【補正対象書類名】実用新案登録請求の範囲
【補正対象項目名】請求項３
【補正方法】変更
【補正の内容】
【請求項３】
該高周波継手を構成する第1・第2の継手部材の一端に対し、それぞれ例えば同軸ケーブル，プリント基板アンテナ，光ファイバー・ケーブル等のアダプターにより結合でき、接続に必要な組立部材の受入部材と見なすことを特徴とする、請求項1に記載の継手固定構造。